【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
第１のアクセス・ポイントにおける、干渉を検出する方法であって、
周波数チャンネルにおいて第２のアクセス・ポイントのデータ・トラフィックを検出するステップと、
前記データ・トラフィックが検出されないときに前記周波数チャンネルで受信された信号の強度のレベルを取得するステップと、
干渉が前記取得されたレベルに従って前記周波数チャンネルで検出されていることを示す情報項目を送信するステップと、
を備えた前記方法。
【請求項２】
前記情報項目を送信するステップが前記情報項目を前記周波数チャンネルで送信することを含む、請求項１に記載の方法。
【請求項３】
前記情報項目を送信するステップが前記情報項目をブロードキャスト送信することを含む、請求項１又は２に記載の方法。
【請求項４】
前記情報項目を送信するステップが前記情報項目を前記第２のアクセス・ポイントにユニキャスト送信することを含む、請求項１又は２に記載の方法。
【請求項５】
前記第１のアクセス・ポイントと前記第２のアクセス・ポイントがＷｉＦｉアクセス・ポイントである、請求項１から４のいずれか１項に記載の方法。
【請求項６】
前記信号の強度のレベルを取得するステップが前記周波数チャンネルのＣｌｅａｒ Ｃｈａｎｎｅｌ Ａｓｓｅｓｓｍｅｎｔ（クリア・チャンネル・アセスメント）を実施することを含む、請求項５に記載の方法。
【請求項７】
前記第１のアクセス・ポイントが、更に、ＺｉｇＢｅｅ又はＢｌｕｅｔｏｏｔｈのタイプのプロトコルに従う別個の無線インタフェースを備えている、請求項５又は６に記載の方法。
【請求項８】
前記情報項目が、更に、前記干渉を生じさせている前記プロトコルのタイプの表示を含んでいる、請求項７に記載の方法。
【請求項９】
前記情報項目が、更に、前記検出された干渉を数量化した値を含んでいる、請求項１から８のいずれか１項に記載の方法。
【請求項１０】
第２のアクセス・ポイントにおける、干渉を検出する方法であって、
周波数チャンネルにおいてデータを送受信するステップと、
前記第２のアクセス・ポイントによってデータが送信も受信もされないときに前記周波数チャンネルで第１のアクセス・ポイントによって取得された信号の強度のレベルに従って干渉が検出されていることを示す情報項目を前記第１のアクセス・ポイントから受信するステップと、
を備えた前記方法。
【請求項１１】
前記第２のアクセス・ポイントを別の周波数チャンネルに切り換えて、この別の周波数チャンネルで受信される別の信号の強度の別のレベルを測定するステップを更に備えた、請求項１０に記載の方法。
【請求項１２】
干渉を検出するように構成された第１のアクセス・ポイントであって、
周波数チャンネルにおいて第２のアクセス・ポイントのデータ・トラフィックを検出する手段と、
前記データ・トラフィックが検出されないときに前記周波数チャンネルで受信された信号の強度のレベルを取得する手段と、
干渉が前記取得されたレベルに従って前記周波数チャンネルで検出されていることを示す情報項目を送信する手段と、
を備えた前記第１のアクセス・ポイント。
【請求項１３】
干渉を検出するように構成された第２のアクセス・ポイントであって、
周波数チャンネルにおいてデータを送受信する手段と、
前記第２のアクセス・ポイントによってデータが送信も受信もされないときに前記周波数チャンネルで第１のアクセス・ポイントによって取得された信号の強度のレベルに従って干渉が検出されていることを示す情報項目を前記第１のアクセス・ポイントから受信する手段と、
を備えた前記第２のアクセス・ポイント。
【請求項１４】
干渉を検出するシステムであって、第１のアクセス・ポイントと第２のアクセス・ポイントとを備えており、
前記第２のアクセス・ポイントが周波数チャンネルにおけるデータ・トラフィックを処理するように構成されており、
前記第１のアクセス・ポイントが、
前記周波数チャンネルにおいて前記第２のアクセス・ポイントのデータ・トラフィックを検出し、
前記データ・トラフィックが検出されないときに前記周波数チャンネルで受信された信号の強度のレベルを取得し、
干渉が前記取得されたレベルに従って前記周波数チャンネルで検出されていることを示す情報項目を前記第２のアクセス・ポイントに送信する、
ように構成されている、前記システム。
【請求項１５】
干渉を検出するためのコンピュータ・プログラムであって、請求項１から１１のいずれか１項に記載の方法を実施するための、プロセッサによって実行可能なプログラム・コード命令を備えた前記コンピュータ・プログラム。
【手続補正２】
【補正対象書類名】明細書
【補正対象項目名】００６８
【補正方法】変更
【補正の内容】
【００６８】
代表的で非限定的な実施形態によれば、処理装置３は、
−  アクセス・ポイント装置、
−  インターネット・ゲートウェイ装置、
−  セット・トップ・ボックス装置、
−  スマートフォン、
−  デジタル・メディア・プレーヤ装置、
−  ＴＶ装置、
−  モバイル機器、
−  ゲーム機器、
−  タブレット（又はタブレット・コンピュータ）、
−  ノート・パソコン、及び、
−  通信装置
を含む１組に属する装置である。
上記実施形態の一部又は全部は、以下の付記のようにも記載されうるが、以下には限られない。
［付記１］
第１のアクセス・ポイント（ＡＰ１）における、干渉を検出する方法であって、
周波数チャンネル（ｃｈ２）において第２のアクセス・ポイント（ＡＰ２）のデータ・トラフィックを検出するステップ（Ｓ２０）と、
前記データ・トラフィックが検出されていない期間に前記周波数チャンネル（ｃｈ２）で受信された信号の強度のレベルを取得するステップ（Ｓ２２）と、
干渉が前記取得されたレベルに従って前記周波数チャンネル（ｃｈ２）で検出されていることを示す情報項目を送信するステップ（Ｓ２４）と、
を備えた前記方法。
［付記２］
前記情報項目を送信するステップが前記情報項目を前記周波数チャンネル（ｃｈ２）で送信することを含む、付記１に記載の方法。
［付記３］
前記情報項目を送信するステップが前記情報項目をブロードキャスト送信することを含む、付記１又は２に記載の方法。
［付記４］
前記情報項目を送信するステップが前記情報項目を前記第２のアクセス・ポイント（ＡＰ２）にユニキャスト送信することを含む、付記１又は２に記載の方法。
［付記５］
前記第１のアクセス・ポイント（ＡＰ１）と前記第２のアクセス・ポイント（ＡＰ２）がＷｉＦｉアクセス・ポイントである、付記１から４のいずれかに記載の方法。
［付記６］
前記信号の強度のレベルを取得するステップが前記周波数チャンネル（ｃｈ２）のＣｌｅａｒ Ｃｈａｎｎｅｌ Ａｓｓｅｓｓｍｅｎｔ（クリア・チャンネル・アセスメント）を実施することを含む、付記５に記載の方法。
［付記７］
前記第１のアクセス・ポイント（ＡＰ１）が、更に、ＺｉｇＢｅｅ又はＢｌｕｅｔｏｏｔｈのタイプのプロトコルに従う別個の無線インタフェースを備えている、付記５又は６に記載の方法。
［付記８］
前記情報項目が、更に、前記干渉を生じさせている前記プロトコルのタイプの表示を含んでいる、付記７に記載の方法。
［付記９］
前記情報項目が、更に、前記検出された干渉を数量化した値を含んでいる、付記１から８のいずれかに記載の方法。
［付記１０］
第２のアクセス・ポイント（ＡＰ２）における、干渉を検出する方法であって、
周波数チャンネル（ｃｈ２）においてデータを送受信するステップ（Ｓ２５）と、
前記第２のアクセス・ポイント（ＡＰ２）によってデータが送信も受信もされていない期間に前記周波数チャンネル（ｃｈ２）で第１のアクセス・ポイント（ＡＰ１）によって取得された信号の強度のレベルに従って干渉が検出されていることを示す情報項目を前記第１のアクセス・ポイント（ＡＰ１）から受信するステップ（Ｓ２７）と、
を備えた前記方法。
［付記１１］
前記第２のアクセス・ポイント（ＡＰ２）を別の周波数チャンネルに切り換えて、この別の周波数チャンネルで受信される別の信号の強度の別のレベルを測定するステップ（Ｓ２９）を更に備えた、付記１０に記載の方法。
［付記１２］
干渉を検出するように構成された第１のアクセス・ポイント（ＡＰ１）であって、
周波数チャンネル（ｃｈ２）において第２のアクセス・ポイント（ＡＰ２）のデータ・トラフィックを検出する手段と、
前記データ・トラフィックが検出されていない期間に前記周波数チャンネル（ｃｈ２）で受信された信号の強度のレベルを取得する手段と、
干渉が前記取得されたレベルに従って前記周波数チャンネル（ｃｈ２）で検出されていることを示す情報項目を送信する手段と、
を備えた前記第１のアクセス・ポイント（ＡＰ１）。
［付記１３］
干渉を検出するように構成された第２のアクセス・ポイント（ＡＰ２）であって、
周波数チャンネル（ｃｈ２）においてデータを送受信する手段と、
前記第２のアクセス・ポイント（ＡＰ２）によってデータが送信も受信もされていない期間に前記周波数チャンネル（ｃｈ２）で第１のアクセス・ポイント（ＡＰ１）によって取得された信号の強度のレベルに従って干渉が検出されていることを示す情報項目を前記第１のアクセス・ポイント（ＡＰ１）から受信する手段と、
を備えた前記第２のアクセス・ポイント（ＡＰ２）。
［付記１４］
干渉を検出するシステムであって、第１のアクセス・ポイント（ＡＰ１）と第２のアクセス・ポイント（ＡＰ２）とを備えており、
前記第２のアクセス・ポイント（ＡＰ２）が周波数チャンネル（ｃｈ２）におけるデータ・トラフィックを処理するように構成されており、
前記第１のアクセス・ポイント（ＡＰ１）が、
前記周波数チャンネル（ｃｈ２）において前記第２のアクセス・ポイント（ＡＰ２）のデータ・トラフィックを検出し、
前記データ・トラフィックが検出されていない期間に前記周波数チャンネル（ｃｈ２）で受信された信号の強度のレベルを取得し、
干渉が前記取得されたレベルに従って前記周波数チャンネル（ｃｈ２）で検出されていることを示す情報項目を前記第２のアクセス・ポイント（ＡＰ２）に送信する、
ように構成されている、前記システム。
［付記１５］
干渉を検出するためのコンピュータ・プログラムであって、付記１から１１のいずれかに記載の方法を実施するための、プロセッサによって実行可能なプログラム・コード命令を備えた前記コンピュータ・プログラム。